(57)【要約】【課題】自動車などに搭載された際に、走行中などの振動が作用しても、選択した任意の記録媒体の情報を確実に再生することが可能な記録媒体再生装置を提供する。【解決手段】ＣＤチェンジャはディスク収容部とディスク再生部とディスク移動機構からなる。ディスク収容部はＣＤ２を保持し且つ積層配列された複数のホルダ１９を有する。ディスク再生部は選択した一つのＣＤ２をクランプして回転させるクランプ部を有する。ディスク移動機構は回転することで前記一つのＣＤ２を保持するホルダ１９と他のＣＤ２を保持するホルダ１９とを前記配列方向に沿って離間させる離間部材４１を有する。離間部材４１は、クランプ部が前記一つのＣＤ２をクランプする際に、該一つのＣＤ２を保持するホルダ１９のトレイ２８に当接する外周面から突出し且つトレイ２８の表面側に位置付けられて、前記一つのＣＤ２の外縁を押圧可能な突部６８を備えている。【選択図】図４２
2010118107.tif 000002
【特許請求の範囲】
【請求項１】
記録媒体を保持するとともに積層配列された複数の保持部材と、回転することで一つの記録媒体を保持する保持部材と他の記録媒体を保持する保持部材とを前記記録媒体の配列方向に沿って離間させる円柱状の離間部材と、前記一つの記録媒体をクランプして該一つの記録媒体を回転させるクランプ部材と、を備えた記録媒体再生装置であって、
前記複数の保持部材は、それぞれ、平板状に形成され且つ表面に記録媒体が位置付けられるトレイと、前記トレイに設けられ且つ前記トレイ上に位置付けられた前記記録媒体の外縁部に係止する複数の係止部材と、を有しており、
前記離間部材は、前記クランプ部材が前記一つの記録媒体をクランプする際に、前記一つの記録媒体を保持する前記保持部材の前記トレイに当接する外周面から該トレイに向かって突出するとともに、前記トレイの前記表面側に位置付けられて前記一つの記録媒体の外縁を押圧可能な突部を備えたことを特徴とする記録媒体再生装置。
【請求項２】
前記離間部材は、前記突部が前記トレイの前記表面側に位置付けられる動作に連動して前記複数の係止部材の係止を解除する係止解除部が設けられていることを特徴とする請求項１に記載の記録媒体再生装置。
【請求項３】
前記離間部材が、前記トレイの外縁に沿って互いに間隔をあけて複数設けられていることを特徴とする請求項１又は請求項２に記載の記録媒体再生装置。
【請求項４】
前記トレイは、表面上に前記記録媒体が載置されるトレイ本体と、該トレイ本体の外周に前記記録媒体の外縁を取り囲むように設けられたフランジ部と、を有しており、
前記突部は、前記トレイの前記表面側に位置付けられた際に、当該突部の前記外周面から離れた側の端部が、前記フランジ部の内周縁と前記配列方向に沿って並ぶ位置に配置されることを特徴とする請求項１乃至請求項３に記載の記録媒体再生装置。
【発明の詳細な説明】
【技術分野】
【０００１】
本発明は、例えば、自動車などに搭載される記録媒体再生装置に関し、更に詳しくは、複数の記録媒体を機器本体内に収容し、これらの記録媒体のうち一つの記録媒体に記録された情報を再生する記録媒体再生装置に関する。
【背景技術】
【０００２】
例えば、コンパクトディスク（以下、ＣＤと記す）などの記録媒体を搬送して収容部に複数枚収容し、これら複数の記録媒体から任意の一つの記録媒体の情報を再生する記録媒体再生装置が用いられている（例えば、特許文献１参照）。この種の記録媒体再生装置は、例えば自動車などに搭載されるとともに、機器本体と、複数の保持部材と、離間部材と、クランプ部材と、光ピックアップなどを備えている。
【０００３】
機器本体は、箱状に形成されている。複数の保持部材は、それぞれ、平面形状が半円弧状で且つ板状に形成されている。複数の保持部材には、それぞれ、記録媒体の外縁部に係止する複数の係止部材が設けられている。複数の保持部材は、積層配列され且つ互いに接離自在に設けられている。複数の保持部材は、各々の複数の係止部材が記録媒体の外縁部に係止することで該記録媒体を保持して、機器本体内の収容部に収容されている。
【０００４】
離間部材は、円柱状に形成されているとともに、機器本体の隅部に回転自在に設けられている。離間部材は、回転することで、複数の記録媒体のうち任意に選択された一つの記録媒体を保持する保持部材と他の記録媒体を保持する保持部材とを、これら複数の記録媒体の配列方向に沿って離間させる。
【０００５】
クランプ部材は、前記記録媒体を回転させるためのターンテーブルと、該ターンテーブルを回転させるスピンドルモータと、前記記録媒体をターンテーブルに保持するためのクランプ爪とを備えている。光ピックアップは、ターンテーブルに対して接離自在に設けられている。光ピックアップは、クランプ部材によってクランプされた記録媒体、即ち複数の記録媒体のうち任意に選択された一つの記録媒体の情報を再生する。
【０００６】
前述した構成の記録媒体再生装置は、複数の保持部材から任意に一つの保持部材に保持された記録媒体が選択されると、離間部材が任意に選択された記録媒体を保持する保持部材と他の記録媒体を保持する保持部材とを、これら複数の記録媒体の配列方向に沿って離間させる。すると、クランプ部材が、任意に選択された記録媒体を保持した保持部材と他の保持部材との間に侵入して、該任意に選択された記録媒体をクランプする。そして、光ピックアップが、前述した任意に選択された記録媒体の情報を再生する。
【特許文献１】特開２００５−２７６３２７号公報
【発明の開示】
【発明が解決しようとする課題】
【０００７】
しかしながら、前述した従来の記録媒体再生装置では、自動車などに搭載された際に、該自動車の走行中の過度な振動や衝撃により、保持部材の記録媒体の外縁部に係止する複数の係止部材に該記録媒体が乗り上げてしまうことがある。このため、保持部材のトレイの所定位置に記録媒体を位置付けることができず、複数の記録媒体のうち任意に選択された一つの記録媒体から情報を読み出す際に、クランプ部材が選択した記録媒体をクランプすることができないため、光ピックアップが選択した記録媒体の情報を再生することができないという問題があった。
【０００８】
また、複数の記録媒体を機器本体内の収容部に収容可能な記録媒体再生装置では、保持部材の複数の係止部材に記録媒体が乗り上げてしまうことによって、複数の保持部材を所定の間隔で積層配列することができず、複数の記録媒体のうち任意に選択された一つの記録媒体を機器本体外へ排出できなくなる虞があった。
【０００９】
本発明は、このような問題点に対処することを課題の一例とするものである。本発明の目的は、例えば、自動車などに搭載された際に、走行中などの振動が作用しても、選択した任意の記録媒体の情報を確実に再生することが可能な記録媒体再生装置を提供することにある。
【課題を解決するための手段】
【００１０】
前記課題を解決し目的を達成するために、請求項１に記載の本発明の記録媒体再生装置は、記録媒体を保持するとともに積層配列された複数の保持部材と、回転することで一つの記録媒体を保持する保持部材と他の記録媒体を保持する保持部材とを前記記録媒体の配列方向に沿って離間させる円柱状の離間部材と、前記一つの記録媒体をクランプして該一つの記録媒体を回転させるクランプ部材と、を備えた記録媒体再生装置であって、前記複数の保持部材は、それぞれ、平板状に形成され且つ表面に記録媒体が位置付けられるトレイと、前記トレイに設けられ且つ前記トレイ上に位置付けられた前記記録媒体の外縁部に係止する複数の係止部材と、を有しており、前記離間部材は、前記クランプ部材が前記一つの記録媒体をクランプする際に、前記一つの記録媒体を保持する前記保持部材の前記トレイに当接する外周面から該トレイに向かって突出するとともに、前記トレイの前記表面側に位置付けられて前記一つの記録媒体の外縁を押圧可能な突部を備えたことを特徴としている。
【発明を実施するための最良の形態】
【００１１】
以下、本発明における記録媒体再生装置の実施の形態について説明する。本実施の形態における記録媒体再生装置は、離間部材が、クランプ部材が一つの記録媒体をクランプする際に、該一つの記録媒体を保持する保持部材のトレイに当接する外周面から該トレイに向かって突出するとともに、トレイの表面側に位置付けられて前記一つの記録媒体の外縁を押圧可能な突部を備えているので、自動車の走行中の過度な振動や衝撃により、保持部材の複数の係止部材に乗り上げてしまった一つの記録媒体を、前記保持部材のトレイ上の所定位置に位置付けることができる。
【００１２】
こうすることで、クランプ部材によって一つの記録媒体を確実にクランプさせることができ、一つの記録媒体の情報を確実に再生することができるとともに、複数の保持部材を所定の間隔で積層配列することができ、一つの記録媒体を機器本体外へスムーズに排出することができるようにしたものである。
【００１３】
また、離間部材は、突部がトレイの表面側に位置付けられる動作に連動して複数の係止部材の係止を解除する係止解除部が設けられていても良い。この場合、離間部材の突部が、自動車の走行中の過度な振動や衝撃により保持部材の複数の係止部材に乗り上げてしまった一つの記録媒体を、前記保持部材のトレイ上の所定位置にスムーズに位置付けることができる。
【００１４】
さらに、離間部材が、トレイの外縁に沿って互いに間隔をあけて複数設けられていても良い。この場合、複数の離間部材各々の突部によって、クランプ部材が一つの記録媒体をクランプする際に、該一つの記録媒体を保持部材のトレイの中央に向かって押圧可能となるため、自動車の走行中の過度な振動や衝撃により、保持部材の複数の係止部材に乗り上げてしまった一つの記録媒体を、前記保持部材のトレイ上の所定位置に確実に位置付けることができる。
【００１５】
また、トレイが、表面上に記録媒体が載置されるトレイ本体と該トレイ本体の外周に記録媒体の外縁を取り囲むように設けられたフランジ部とを有しているとともに、突部の外周面から離れた側の端部が、当該突部がトレイの表面側に位置付けられた際に、フランジ部の内周縁と配列方向に沿って並ぶ位置に配置されていても良い。この場合、突部が一つの記録媒体を保持部材のトレイの中央に向かって押圧した際に、保持部材のトレイのトレイ本体に確実に載置することができるため、自動車の走行中の過度な振動や衝撃により、保持部材の複数の係止部材に乗り上げてしまった一つの記録媒体を、前記保持部材のトレイ上の所定位置に確実に位置付けることができる。
【実施例】
【００１６】
以下、本発明の一実施例にかかる記録媒体再生装置の一例としてのＣＤチェンジャ１を、図１乃至図４２に基づいて説明する。
【００１７】
図１などに示すＣＤチェンジャ１は、自動車などの移動体に装備されて、記録媒体としてのＣＤ２（図２などに示す）を複数収容して、これら複数のＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１８】
ＣＤチェンジャ１は、図２に示すように、機器本体３（図１に示す）と、図示しない操作部と、ディスク搬送部４と、ディスク再生部５と、ディスク収容部６と、ディスク移動機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１９】
機器本体３は、合成樹脂からなる図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通して形成されている。挿入口１０は、内側にＣＤ２を通すことができる。そして、挿入口１０を通して、前記ＣＤ２が外側ケース８即ち機器本体３内に収容されたり、該機器本体３内から排出される。
【００２０】
固定シャーシ９は、外側ケース８内に収容されているとともに、該外側ケース８に固定されている。固定シャーシ９は、図２又は図３に示すように、板状の底板１１と、この底板１１の外縁から立設した周板１２とを備えている。底板１１は、外側ケース８の図１中下側に位置する壁上に重ねられている。
【００２１】
操作部は、機器本体３と別体で且つ該機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２２】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２３】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述のモータ７０により、軸芯周りに回転される。ローラ１４の外周面にＣＤ２が接触し、ローラ１４がモータ７０により回転駆動されることで、ディスク搬送部４は、挿入口１０内にＣＤ２を通す。
【００２４】
ディスク再生部５は、機器本体３内に収容されており、図３に示すように、移動シャーシ１６と、揺動シャーシ１７と、移動機構２０と、ピックアップ再生部２５と、を備えている。
【００２５】
移動シャーシ１６は、板金などからなり、枠状に形成されている。移動シャーシ１６は、ディスク収容部６の後述するホルダ１９の配列方向（互いに重なる方向）Ｋ（図３などに矢印で示す）、即ち複数のＣＤ２が互いに重なる方向に沿って移動自在に、固定シャーシ９の周板１２などに支持されている。前記配列方向Ｋは、ＣＤチェンジャ１の厚み方向Ｚ（図１などに矢印で示す）と平行に配されている。
【００２６】
揺動シャーシ１７は、板金などからなり、帯板状に形成されている。揺動シャーシ１７は、一端部１７ａを中心として回動自在に移動シャーシ１６に支持されている。揺動シャーシ１７は、一端部１７ａを中心として回動することで、ディスク収容部６に収容される複数のＣＤ２間に他端部１７ｂが侵入する状態と、ディスク収容部６に収容される複数のＣＤ２間から他端部１７ｂが抜け出る状態とに亘って変位自在になっている。
【００２７】
移動機構２０は、図３などに示すように、第１のスライドシャーシ２１と、第２のスライドシャーシと、揺動アーム２２とを備えている。第１のスライドシャーシ２１は、板金からなり、水平部２３と、鉛直片２４とを一体に備えている。
【００２８】
水平部２３は、平板状に形成され且つ固定シャーシ９の底板１１上に重ねられている。水平部２３は、他端部が複数のＣＤ２間から抜け出た状態の揺動シャーシ１７の長手方向に沿ってスライド自在に前記底板１１に支持されている。水平部２３は、ディスク移動機構７の後述するモータ４０の駆動力により、他端部が複数のＣＤ２間から抜け出た状態の揺動シャーシ１７の長手方向に沿って移動する。鉛直片２４は、水平部２３の縁から上方即ち第２のスライドシャーシに向かって延びている。
【００２９】
第２のスライドシャーシは、板金からなり、平板状に形成されている。第２のスライドシャーシは、移動シャーシ１６と固定シャーシ９の底板１１との間に配されているとともに、移動シャーシ１６に重ねられている。第２のスライドシャーシは、他端部が複数のＣＤ２間から抜け出た状態の揺動シャーシ１７の長手方向に沿ってスライド自在に移動シャーシ１６に支持されている。
【００３０】
また、第２のスライドシャーシには、前述した鉛直片２４が係止している。このため、第２のスライドシャーシは、鉛直片２４とともに、ディスク移動機構７の後述するモータ４０の駆動力により、他端部が複数のＣＤ２間から抜け出た状態の揺動シャーシ１７の長手方向に沿って移動する。
【００３１】
揺動アーム２２は、板金からなり、平板状に形成されている。揺動アーム２２は、図３に示すように、平面形状が略く字状に形成されている。揺動アーム２２は、前述した移動シャーシ１６に中央部を中心として回転自在に支持されている。揺動アーム２２は、一端部が前述した第２のスライドシャーシに連結しているとともに、他端部が揺動シャーシ１７に回転自在に連結している。揺動アーム２２は、第２のスライドシャーシが前述した長手方向に沿ってスライドすると、中央部を中心として回転して、揺動シャーシ１７の一端部１７ａを中心として該揺動シャーシ１７を揺動させる。
【００３２】
前述した構成の移動機構２０は、ディスク移動機構７の後述するモータ４０の駆動力により、第１のスライドシャーシ２１と第２のスライドシャーシを移動させるとともに、揺動アーム２２を回転して、一端部１７ａを中心として揺動シャーシ１７を揺動させる。移動機構２０は、一端部１７ａを中心として揺動シャーシ１７を揺動することで、ディスク収容部６の後述するホルダ１９に保持されたＣＤ２の情報記録面と対向する位置に後述の光ピックアップを移動する。
【００３３】
ピックアップ再生部２５は、揺動シャーシ１７に設けられている。ピックアップ再生部２５は、クランプ部材２６と、ピックアップ部２７などを備えている。
【００３４】
クランプ部材２６は、ターンテーブルと、スピンドルモータと、複数のクランプ爪とを備えている。ターンテーブルは、揺動シャーシ１７の他端部１７ｂに回転自在に支持されている。ターンテーブルは、円板状に形成されており、表面上にＣＤ２が置かれる。
【００３５】
スピンドルモータは、揺動シャーシ１７の他端部１７ｂとターンテーブルとの間に設けられている。スピンドルモータは、ターンテーブルを回転する。クランプ爪は、ターンテーブルの表面から突没自在に設けられている。クランプ爪は、ターンテーブルの表面から突出すると、ターンテーブル上のＣＤ２の中央孔内に突出して、ターンテーブルとの間にＣＤ２を挟む。クランプ爪は、ターンテーブルとの間に挟むことで、ＣＤ２をクランプする。
【００３６】
ピックアップ部２７は、光ピックアップと、ピックアップ移動部とを備えている。光ピックアップは、クランプ部材２６に接離する方向に移動自在に揺動シャーシ１７に支持されている。光ピックアップは、クランプ部材２６に支持されたＣＤ２から情報を読み出す。ピックアップ移動部は、光ピックアップをクランプ部材２６に接離させる。なお、接離とは、互いに近づいたり離れたりすることである。
【００３７】
前述した構成のディスク再生部５は、揺動シャーシ１７の他端部１７ｂがＣＤ２間に侵入して、クランプ部材２６のクランプ爪がＣＤ２をクランプするとともに、クランプ部材２６のターンテーブルがＣＤ２を回転させる。そして、ディスク再生部５は、ピックアップ部２７の光ピックアップが、クランプ部材２６により回転されたＣＤ２から情報を読み出す。
【００３８】
ディスク収容部６は、機器本体３内に収容されており、図２又は図３に示すように、移動シャーシ１８と、複数の保持部材としてのホルダ１９とを備えている。
【００３９】
移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した厚み方向Ｚに沿って移動自在に固定シャーシ９の周板１２などに支持されている。
【００４０】
ホルダ１９は、図４に示すように、底板１１と移動シャーシ１８との双方と平行な状態で、移動シャーシ１８に支持されている。ホルダ１９は、底板１１と移動シャーシ１８とが互いに重なる方向（前述した矢印Ｋ）に沿って、互いに重ねられて複数設けられている。複数のホルダ１９は、それぞれ、図５に示すように、表面にＣＤ２が位置付けられるトレイ２８と、複数の係止部材としての第１の係止部材３１、第２の係止部材３２、第３の係止部材３３と、を備えている。
【００４１】
トレイ２８は、合成樹脂からなり、板状に形成されている。トレイ２８は、トレイ本体２９ａと、フランジ部２９ｂとを一体に備えている。トレイ本体２９ａは、平板状に形成されているとともに、平面形状が半円弧状（半環状、半リング状、Ｃ字状ともいう）に形成されている。トレイ本体２９ａは、その表面上にＣＤ２が載置される。このため、トレイ２８は、表面上にＣＤ２を位置付ける。
【００４２】
フランジ部２９ｂは、トレイ本体２９ａの外周側の外縁から立設しているとともに、該トレイ本体２９ａの外周方向に延在している。このため、トレイ本体２９ａの表面上に載置されたＣＤ２は、フランジ部２９ｂの内周縁と当接することで、トレイ本体２９ａ即ちトレイ２８上に位置決めされる。
【００４３】
さらに、前述したトレイ２８には、トレイ本体２９ａの外周側の外縁から外方向に向かって突出した突起３０（図５などに示す）が設けられている。そして、トレイ２８は、トレイ本体２９ａの半円弧状に形成された開口部が前述した挿入口１０と相対する状態に配されている。
【００４４】
第１の係止部材３１は、合成樹脂からなり、帯板状で且つアーム状に形成されている。第１の係止部材３１は、トレイ２８の図５中の左側に位置する一端部２８ａ側のフランジ部２９ｂに、その長手方向の中央部を中心として回転自在に支持されている。即ち、第１の係止部材３１は、トレイ２８の一端部２８ａに回転自在に設けられている。
【００４５】
第１の係止部材３１は、図５中手前側（トレイ２８の端側）に位置する一端部３１ａに係止爪３４が設けられている。第１の係止部材３１は、係止爪３４がフランジ部２９ｂの内周縁からトレイ本体２９ａ上に突出する係止位置（図６に示す）と、係止爪３４がフランジ部２９ｂの内周縁に没してトレイ本体２９ａ上から退避する非係止位置（図７に示す）とに亘って、回転自在である。
【００４６】
また、第１の係止部材３１は、トレイ２８に、係止位置と非係止位置とに亘る回転が許容されているとともに、前記係止位置と非係止位置を越えて回転することが規制されている。第１の係止部材３１は、前述した係止位置で係止爪３４とトレイ本体２９ａ即ちトレイ２８との間にＣＤ２の外縁部を位置付けて、該ＣＤ２の外縁部に係止する。即ち、第１の係止部材３１は、トレイ２８のトレイ本体２９ａ上に位置付けられたＣＤ２の外縁部に係止する。
【００４７】
第２の係止部材３２は、合成樹脂からなり、帯板状で且つアーム状に形成されている。第２の係止部材３２は、トレイ２８の図５中の右側に位置する他端部２８ｂ側のフランジ部２９ｂに、その長手方向の中央部を中心として回転自在に支持されている。即ち、第２の係止部材３２は、トレイ２８の他端部２８ｂに回転自在に設けられている。
【００４８】
第２の係止部材３２は、図５中手前側（トレイ２８の端側）に位置する一端部３２ａに係止爪３５が設けられている。第２の係止部材３２は、係止爪３５がフランジ部２９ｂの内周縁からトレイ本体２９ａ上に突出する係止位置（図６に示す）と、係止爪３５がフランジ部２９ｂの内周縁に没してトレイ本体２９ａ上から退避する非係止位置（図７に示す）とに亘って、回転自在である。
【００４９】
また、第２の係止部材３２は、トレイ２８に、係止位置と非係止位置とに亘る回転が許容されているとともに、前記係止位置と非係止位置を越えて回転することが規制されている。第２の係止部材３２は、前述した係止位置で係止爪３５とトレイ本体２９ａ即ちトレイ２８との間にＣＤ２の外縁部を位置付けて、該ＣＤ２の外縁部に係止する。即ち、第２の係止部材３２は、トレイ２８のトレイ本体２９ａ上に位置付けられたＣＤ２の外縁部に係止する。
【００５０】
さらに、第２の係止部材３２は、トレイ２８のフランジ部２９ｂに取り付けられたねじりコイルばね３６により、係止爪３５がフランジ部２９ｂの内周縁からトレイ本体２９ａ上に突出する方向即ち係止位置に向かって付勢されている。即ち、第２の係止部材３２は、係止爪３５がトレイ２８上のＣＤ２の外縁部に係止する（トレイ本体２９ａの内側に向かう）方向に付勢されている。
【００５１】
第３の係止部材３３は、合成樹脂からなり、帯板状で且つアーム状に形成されている。第３の係止部材３３は、トレイ２８の前述した一端部２８ａと他端部２８ｂとの間の中央部２８ｃに位置するフランジ部２９ｂに、その長手方向の中央部を中心として回転自在に支持されている。即ち、第３の係止部材３３は、トレイ２８の一端部２８ａと他端部２８ｂとの間の中央部２８ｃに回転自在に設けられている。
【００５２】
第３の係止部材３３は、図５中奥側（トレイ２８の中央側）に位置する一端部３３ａに係止爪３７が設けられている。第３の係止部材３３は、係止爪３７がフランジ部２９ｂの内周縁からトレイ本体２９ａ上に突出する係止位置（図６に示す）と、係止爪３７がフランジ部２９ｂの内周縁に没してトレイ本体２９ａ上から退避する非係止位置（図７に示す）とに亘って、回転自在である。
【００５３】
また、第３の係止部材３３は、トレイ２８に、係止位置と非係止位置とに亘る回転が許容されているとともに、前記係止位置と非係止位置を越えて回転することが規制されている。第３の係止部材３３は、前述した係止位置で係止爪３７とトレイ本体２９ａ即ちトレイ２８との間にＣＤ２の外縁部を位置付けて、該ＣＤ２の外縁部に係止する。即ち、第３の係止部材３３は、トレイ２８のトレイ本体２９ａ上に位置付けられたＣＤ２の外縁部に係止する。
【００５４】
さらに、第３の係止部材３３の他端部３３ｂは、第１の係止部材３１の他端部３１ｂよりもトレイ本体２９ａ寄り即ちトレイ２８の内側に配されているとともに、前記第１の係止部材３１の他端部３１ｂに当接する。また、第３の係止部材３３は、トレイ２８のフランジ部２９ｂに取り付けられたねじりコイルばね３８により、係止爪３７がフランジ部２９ｂの内周縁からトレイ本体２９ａ上に突出する方向即ち係止位置に向かって付勢されている。即ち、第３の係止部材３３は、係止爪３７がトレイ２８上のＣＤ２の外縁部に係止する（トレイ本体２９ａの内側に向かう）方向に付勢されている。
【００５５】
また、第３の係止部材３３の他端部３３ｂが第１の係止部材３１の他端部３１ｂよりトレイ２８の内側に位置し且つ第１の係止部材３１の他端部３１ｂに当接しているので、前述したねじりコイルばね３８は、第１の係止部材３１を前記係止爪３４がフランジ部２９ｂの内周縁からトレイ本体２９ａ上に突出する方向即ち係止位置に向かって付勢している。即ち、第１の係止部材３１と第３の係止部材３３とは、同一のねじりコイルばね３８により、係止爪３４，３７がトレイ２８上のＣＤ２の外縁部に係止する（トレイ本体２９ａの内側に向かう）方向に付勢されている。
【００５６】
さらに、前述した第１の係止部材３１の一端部３１ａと、第２の係止部材３２の他端部３２ｂとには、それぞれ、連動突起３９が設けられている。
【００５７】
前述した構成のディスク収容部６は、挿入口１０を通して機器本体３に挿入されたＣＤ２が、ホルダ１９のトレイ２８の開口部を通して内側に侵入してトレイ本体２９ａ上に位置し、第１乃至第３の係止部材３１，２１，３３がＣＤ２の外縁部に係止することで、ホルダ１９がＣＤ２を保持する。
【００５８】
また、前述した構成のディスク収容部６は、複数のホルダ１９の各々が保持するＣＤ２の表面が互いに平行になるように、該複数のホルダ１９が互いに重ねられて配されている。さらに、ディスク収容部６は、複数のホルダ１９が前述した配列方向Ｋ（厚み方向Ｚ）に沿って移動自在に移動シャーシ１８などに支持されている。こうして、ディスク収容部６は、ＣＤ２を保持可能な複数のホルダ１９を積層配列して収容する。
【００５９】
ディスク移動機構７は、機器本体３内に収容されており、モータ４０（図２又は図３に示す）と、離間部材４１（図８乃至図１７に示す）と、連動移動部材４２（図３３乃至図４０に示す）とを備えている。モータ４０は、図３に示すように、固定シャーシ９に固定されている。
【００６０】
離間部材４１は、図４に示すように、３つ（以下、図４中の右から順に、符号４１ａ，４１ｂ，４１ｃを付して示す）設けられており、機器本体３の隅部に配されている。離間部材４１ａ，４１ｂ，４１ｃは、それぞれ、図８乃至図１７に示すように、円柱状に形成されており、回転部材４３と、移動部材４４と、カム部材４５とを備えている。
【００６１】
回転部材４３は、図８乃至図１２に示すように、互いに同軸に配された円板部４６と、円柱部４７とを一体に備えている。円板部４６は、円板状に形成され且つ外周縁部に歯が設けられている。円板部４６は、固定シャーシ９の底板１１に軸芯周りに回転自在に支持されている。円柱部４７は、円柱状に形成されており、円板部４６から立設している。この円柱部４７の外面には、移動部材４４に設けられた後述する係合溝（図示せず）に係合する突起４８が設けられている。
【００６２】
回転部材４３の軸芯は、前述した矢印Ｋと平行に配されている。回転部材４３は、円板部４６の外縁部に設けられた歯が、固定シャーシ９の底板１１に回転自在に設けられた複数の歯車８４（図３に示す）に噛み合っている。回転部材４３は、これらの歯車８４を介して、前述したモータ４０の出力軸に取り付けられたピニオンと接続している。回動部材４３は、モータ４０の駆動力により歯車８４とともに軸芯周りに回転される。回転部材４３は、移動部材４４とカム部材４５の各々を同軸的に配するとともに、移動部材４４とカム部材４５の各々を回転させる。
【００６３】
移動部材４４は、図８乃至図１２に示すように、円管状に形成されており、回転部材４３の外周に取り付けられて該回転部材４３と同軸に配されている。また、移動部材４４の内面には、前述した回転部材４３に設けられた突起４８が係合する係合溝（図示せず）が設けられている。移動部材４４は、係合溝に回転部材４３の突起４８が係合することで、前述した矢印Ｋに沿って移動自在に回転部材４３に取り付けられているとともに、回転部材４３と一体に（連動して）前述した軸芯周りに回転する。
【００６４】
また、移動部材４４の外面には、カム部材４５に設けられた後述する突起５４に係合する係合突起５２が設けられている。移動部材４４は、カム部材４５とは独立して前述した矢印Ｋに沿って移動可能に、回転部材４３に取り付けられるとともに、カム部材４５と一体に（連動して）前述した軸芯周りに回転する。さらに、移動部材４４の固定シャーシ９の底板１１から離れた側の端部（上端）には、当該移動部材４４の外周に沿って係止溝５１が設けられている。
【００６５】
前述した回転部材４３と移動部材４４とには、図１８乃至図３２に示すように、前述したディスク収容部６の移動シャーシ１８が取り付けられているとともに、摺動部４９が設けられている。摺動部４９は、カム部材４５の後述する連結壁５６から離れる方向であり、その上方から下方に向かって傾斜した傾斜面５０ａ，５０ｂを有している。この傾斜面５０ａ，５０ｂはホルダ１９の突起３０が摺動する摺動面に相当する。摺動部４９は、回転部材４３に設けられた第１摺動壁４９ａと、移動部材４４に設けられた第２摺動壁４９ｂとにより構成される。
【００６６】
前述したディスク収容部６の移動シャーシ１８と摺動部４９（第１及び第２摺動壁４９ａ，４９ｂ）とは、移動部材４４の軸芯方向の両縁に設けられており、矢印Ｋと平行な軸芯に沿って互いに間隔をあけて配されている。このため、移動シャーシ１８と摺動部４９（第１及び第２摺動壁４９ａ，４９ｂ）とは、移動部材４４の両縁から外周方向に突出している。
【００６７】
前記移動シャーシ１８は、移動部材４４の固定シャーシ９の底板１１から離れた側の縁に設けられた係止溝５１に係止して、取り付けられている。即ち移動シャーシ１８は移動部材４４の上端に設けられている。このため、移動部材４４は、移動シャーシ１８と一体に（連動して）前述した矢印Ｋに沿って移動する。また、前記移動シャーシ１８は、移動部材４４などが軸芯周りに回転することを許容する（妨げない）。移動シャーシ１８は、前述した矢印Ｋに対し直交する方向に沿った平板状に形成されている。
【００６８】
第１摺動壁４９ａは、回転部材４３に設けられている。第１摺動壁４９ａは、図８乃至図１２に示すように、回転部材４３の円板部４６の外縁から立設しており、断面形状が回転部材４３の軸芯を中心とした円弧状に形成されている。即ち、第１摺動壁４９ａは、回転部材４３の円板部４６の外周に配されている。また、第１摺動壁４９ａは、前述した傾斜面５０ａ，５０ｂの一部を構成する第１傾斜面５０ａを有している。
【００６９】
第２摺動壁４９ｂは、移動部材４４に設けられている。第２摺動壁４９ｂは、図８乃至図１２に示すように、移動部材４４の固定シャーシ９の底板１１寄りの縁（即ち、移動部材４４の下端）に設けられている。第２摺動壁４９ｂは、移動部材４４の外周に配され、該移動部材４４と同軸に配されている。第２摺動壁４９ｂは、カム部材４５の後述する連結壁５６と回転部材４３の第１摺動壁４９ａとの間に配されており、移動部材４４の前述した矢印Ｋ方向への移動により同方向に移動する。また、第２摺動壁４９ｂは、前述した傾斜面５０ａ，５０ｂの一部を構成する第２傾斜面５０ｂを有している。
【００７０】
また、第２摺動壁４９ｂは、移動部材４４が回転部材４３に対して前述した矢印Ｋ方向における上方に向かって所定距離移動すると、カム部材４５の後述する連結壁５６と回転部材４３の第１摺動壁４９ａとの間に配置された状態を脱して、第１及び第２摺動壁４９ａ，４９ｂの第１及び第２傾斜面５０ａ，５０ｂが回転部材４３と移動部材４４とに亘って、同一面（面一）となる。これら同一面となった傾斜面５０ａ，５０ｂは、移動部材４４から回転部材４３に向かうにしたがって、移動シャーシ１８から徐々に離れる方向に、前述した矢印Ｋとこの矢印Ｋに対し直交する方向との双方に交差した方向に延びている。
【００７１】
また、上方に位置する第２摺動壁４９ｂが、移動部材４４とともに下方に移動して、回転部材４３の第１摺動壁４９ａとカム部材４５の後述する連結壁５６との間に配置された状態では、第１及び第２摺動壁４９ａ，４９ｂの第１及び第２傾斜面５０ａ，５０ｂは、同一面（面一）にならない。即ち、傾斜面５０ａ，５０ｂが分割された状態となる。
【００７２】
また、前述した移動シャーシ１８と摺動部４９（第１及び第２摺動壁４９ａ，４９ｂ）との間において、前述した矢印Ｋに沿って互いの間にカム部材４５の後述するくさび部５７が位置付けられていない部分では、前述した移動シャーシ１８と摺動部４９（第１及び第２摺動壁４９ａ，４９ｂ）との間隔は、ホルダ１９の数と突起３０の前述した矢印Ｋ方向の幅との積に等しい又は略等しい。
【００７３】
回転部材４３と移動部材４４とは、前述した移動シャーシ１８と摺動部４９（第１及び第２摺動壁４９ａ，４９ｂ）との間に、突起３０を位置付けて、前述したホルダ１９を保持する。また、回転部材４３と移動部材４４とは、軸芯周りに回転することで、前述した移動シャーシ１８と摺動部４９（第１及び第２摺動壁４９ａ，４９ｂ）との間で突起３０がカム部材４５の後述する連結壁５６から接離するように前述した矢印Ｋに対し交差する方向に沿って移動することを許容する。
【００７４】
このため、回転部材４３と移動部材４４とカム部材４５とは、モータ４０の駆動力により、後述の離間溝５８，５９の奥に向かって突起３０が侵入する方向に移動される。さらに、回転部材４３と移動部材４４とカム部材４５とは、後述の収容位置で、すべてのホルダ１９の突起３０を、移動シャーシ１８と摺動部４９（第１及び第２摺動壁４９ａ，４９ｂ）との間に位置付ける。
【００７５】
カム部材４５は、図８乃至図１２に示すように、円管状に形成されており、移動部材４４の外周に取り付けられて、回転部材４３及び移動部材４４等と同軸に配されている。また、カム部材４５の内面には、前述した移動部材４４の係合突起５２が係合する突起５４が設けられている。カム部材４５は、突起５４に移動部材４４の係合突起５２が係合することで、前述した矢印Ｋに沿って移動自在に移動部材４４に取り付けられるとともに、前述した回転部材４３及び移動部材４４と一体（連動して）に前述した軸芯周りに回転する。
【００７６】
また、カム部材４５の前述した固定シャーシ９の底板１１から離れた側の端部（上端）には、当該カム部材４５の外周に沿って係止溝５５が設けられている。カム部材４５の係止溝５５には、ディスク再生部５の移動シャーシ１６が係止して、取り付けられている。このため、カム部材４５は、移動シャーシ１６即ち前述したピックアップ部２７と一体に（連動して）前述した矢印Ｋに沿って移動する。即ち、カム部材４５は、前述した矢印Ｋに沿って移動可能である。また、前記移動シャーシ１６は、カム部材４５などが軸芯周りに回転することを許容する（妨げない）。
【００７７】
さらに、カム部材４５は、連結壁５６と、くさび部５７とを備えている。連結壁５６は、前述した矢印Ｋに沿って直線状に延びている。連結壁５６は、くさび部５７に設けられた後述する案内溝６０の開口部６１と前述した矢印Ｋに対し直交する方向に沿って、間隔をあけて相対している。連結壁５６は、移動シャーシ１８と第２摺動壁４９ｂとを互いに連結する格好になっている。
【００７８】
くさび部５７は、前述した移動シャーシ１８と摺動部４９（第１及び第２摺動壁４９ａ，４９ｂ）との間に位置しているとともに、連結壁５６と間隔をあけて配されている。このため、カム部材４５のくさび部５７は、前述した移動シャーシ１８と摺動部４９（第１及び第２摺動壁４９ａ，４９ｂ）との間を前述した矢印Ｋに沿って移動する。くさび部５７は、連結壁５６に向かうにしたがって鋭角になるように形成されている。また、くさび部５７には、案内溝６０と、突部６８と、係止解除部６９とが設けられている。
【００７９】
案内溝６０は、カム部材４５のくさび部５７の外周面に設けられ且つ該外周面から凹に形成されている。案内溝６０の前述した矢印Ｋに沿う溝幅は、前述したホルダ１９のトレイ２８に設けられた一つの突起３０の前述した矢印Ｋに沿う幅と略等しい。案内溝６０は、図１８乃至図３２に示すように、連結壁５６に相対する開口部６１と、ローディング部６２と、ピックアップ侵入部６３と、第１連結部６４と、クランプ部６５と、第２連結部６６と、再生部６７とを備えている。
【００８０】
案内溝６０は、ローディング部６２とピックアップ侵入部６３とクランプ部６５と再生部６７とが、前述した矢印Ｋに対し直交する方向に沿って延びているとともに、第１連結部６４と第２連結部６６とが、前述した矢印Ｋとこの矢印Ｋに対し直交する方向との双方に対し交差する方向に沿って延びている。
【００８１】
ローディング部６２は、開口部６１に連なり且つ該開口部６１の連結壁５６から離れた側に配されている。ピックアップ侵入部６３は、ローディング部６２に連なり且つ該ローディング部６２の連結壁５６から離れた側に配されている。さらに、ピックアップ侵入部６３は、ローディング部６２より回転部材４３の第１摺動壁４９ａから離れた側に配されている。
【００８２】
第１連結部６４は、ピックアップ侵入部６３に連なり且つ該ピックアップ侵入部６３の連結壁５６から離れた側に配されている。さらに、第１連結部６４は、ピックアップ侵入部６３から離れるのにしたがって徐々に回転部材４３の第１摺動壁４９ａに近づく方向に延びている。クランプ部６５は、第１連結部６４に連なり且つ該第１連結部６４の連結壁５６から離れた側に配されている。
【００８３】
第２連結部６６は、クランプ部６５に連なり且つ該クランプ部６５の連結壁５６から離れた側に配されている。さらに、第２連結部６６は、クランプ部６５から離れるのにしたがって徐々に回転部材４３の第１摺動壁４９ａに近づく方向に延びている。再生部６７は、第２連結部６６に連なり且つ該第２連結部６６の連結壁５６から離れた側に配されている。
【００８４】
前述した構成の案内溝６０は、開口部６１を通して、前述したホルダ１９のトレイ２８に設けられた一つの突起３０が侵入することを許容する。即ち、案内溝６０内には、突起３０即ちホルダ１９が摺動可能である。さらに、案内溝６０は、ローディング部６２と、ピックアップ侵入部６３と、第１連結部６４と、クランプ部６５と、第２連結部６６と、再生部６７内に順に突起３０が移動することを許容する。
【００８５】
前述したローディング部６２内に位置付けられた突起３０を設けたホルダ１９は、挿入口１０と前述した幅方向Ｙに沿って相対する。そして、ローディング部６２内に位置付けられた突起３０を設けたホルダ１９は、挿入口１０を通して挿入されたＣＤ２を保持できるとともに、挿入口１０を通して保持したＣＤ２を機器本体３外に排出できる。
【００８６】
前述したピックアップ侵入部６３内に位置付けられた突起３０を設けたホルダ１９は、図２中下方に位置する他のホルダ１９から離れて、この図中下方に位置するホルダ１９との間に揺動シャーシ１７の他端部１７ｂ即ちピックアップ再生部２５が侵入することを許容する。
【００８７】
前述したクランプ部６５内に位置付けられた突起３０を設けたホルダ１９は、前述した第１乃至第３係止部材３１，３２，３３が非係止位置に位置付けられて、ＣＤ２の外縁部への係止が解除されることで、保持したＣＤ２をディスク再生部５のクランプ部材２６がクランプすることを許容する。
【００８８】
前述した再生部６７内に位置付けられた突起３０を設けたホルダ１９は、クランプ部材２６にクランプされたＣＤ２から離されて、クランプ部材２６により回転されるＣＤ２に干渉（接触）しない。即ち、ＣＤ２が回転することを許容する。
【００８９】
突部６８は、図９乃至図１２に示すように、カム部材４５のくさび部５７の外周面に設けられ且つ該外周面から凸に形成されている。突部６８は、くさび部５７から突出するにしたがって先細となる台形状に形成されている。突部６８は、図９に示すように、くさび部５７の前述した案内溝６０の係止溝５５側に隣接して設けられているとともに、案内溝６０のクランプ部６５の図９中の直上方に配されている。
【００９０】
突部６８は、前述した案内溝６０内の突起３０がクランプ部６５に位置した際に、ホルダ１９のトレイ２８の外縁に当接するカム部材４５のくさび部５７の外周面に設けられている。そして、突部６８は、前述した案内溝６０内の突起３０がクランプ部６５に位置すると、図４２に示すように、ホルダ１９のトレイ２８のフランジ部２９ｂ上（表面側）に位置付けられるとともに、くさび部５７の外周面から離れた側の端部６８ａがフランジ部２９ｂの内周縁と前述した矢印Ｋ方向に沿って並ぶ位置に配置される。なお、前記くさび部５７外周面は、特許請求の範囲に記載の外周面に相当する。
【００９１】
そして、前述した突部６８は、図４２に示すように、ホルダ１９のトレイ２８のフランジ部２９ｂ上（表面側）に位置付けられると、ホルダ１９の第１乃至第３係止部材３１，３２，３３に乗り上げてしまったＣＤ２の外縁を、ホルダ１９のトレイ２８の中央に向かって押圧可能となる。
【００９２】
また、前述した突部６８は、前記フランジ部２９ｂ上（表面側）に位置付けられると、くさび部５７の外周面から離れた側の端部６８ａがフランジ部２９ｂの内周縁と前述した矢印Ｋ方向に沿って並ぶ位置に配置されるので、第１乃至第３係止部材３１，３２，３３に乗り上げてしまったＣＤ２の外縁を押圧した際に、該ＣＤ２をトレイ２８のトレイ本体２９ａ上即ちホルダ１９上の所定位置に位置付けることができる。
【００９３】
係止解除部６９は、図８乃至図１２に示すように、カム部材４５のくさび部５７の外周面に設けられ且つ該外周面から凸に形成されている。係止解除部６９は、図９に示すように、くさび部５７の前述した案内溝６０の底板１１側に隣接して設けられているとともに、案内溝６０のローディング部６２の開口部６１から離れた側（ピックアップ侵入部６３に連なる側）の端部及びピックアップ侵入部６３の図９中の直下方に配されている。
【００９４】
係止解除部６９は、前述した案内溝６０内の突起３０がクランプ部６５に位置すると、第１及び第２係止部材３１，３２各々の連動突起３９を押圧して、第１乃至第３の係止部材３１，３２，３３をねじりコイルばね３６，３８の付勢力に抗して前述した非係止位置に向かって回転させることで、これら第１乃至第３の係止部材３１，３２，３３を図７及び図４２に示すように非係止位置に位置付ける。
【００９５】
前述した構成のカム部材４５は、一つのＣＤ２を保持するホルダ１９の突起３０が摺動可能に係合する案内溝６０を有している。また、カム部材４５は、ホルダ１９のトレイ２８のフランジ部２９ｂ上（表面側）に位置付けられることで、第１乃至第３係止部材３１，３２，３３に乗り上げてしまった一つのＣＤ２の外縁を押圧して、該一つのＣＤ２をトレイ２８のトレイ本体２９ａ上即ちホルダ１９上の所定位置に位置付け可能な突部６８を有している。さらに、カム部材４５は、一つのＣＤ２を保持するホルダ１９の第１及び第２係止部材３１，３２各々の連動突起３９を押圧して、第１乃至第３係止部材３１，３２，３３を非係止位置に位置付ける係止解除部６９を有している。
【００９６】
前述した構成の離間部材４１は、回転部材４３と移動部材４４とカム部材４５とが、図１０に示すように、互いに同軸に配されている。また、離間部材４１は、移動部材４４とカム部材４５とが、図１０乃至図１２に示すように、互いに独立して、前述した矢印Ｋに沿って移動可能である。
【００９７】
また、前述した移動シャーシ１８とカム部材４５のくさび部５７との間、即ち移動シャーシ１８と、カム部材４５のくさび部５７の底板１１から離れた側の上面部との間を、本明細書では、第１離間溝（以下、符号５８で示す）という。第１離間溝５８は、図１３乃至図３２に示すように、案内溝６０に係合する一つのＣＤ２を保持するホルダ１９より上方（矢印Ｋ１側）に位置する他のホルダ１９と係合する。
【００９８】
さらに、前述した摺動部４９（第１及び第２摺動壁４９ａ，４９ｂ）とカム部材４５のくさび部５７との間、即ち、摺動部４９（第１及び第２摺動壁４９ａ，４９ｂ）の傾斜面５０ａ，５０ｂと、カム部材４５のくさび部５７の底板１１寄りの下面部との間を、本明細書では、第２離間溝（以下、符号５９で示す）という。第２離間溝５９は、図１３乃至図３２に示すように、案内溝６０に係合する一つのＣＤ２を保持するホルダ１９より下方（矢印Ｋ２側）に位置する他のホルダ１９と係合する。
【００９９】
なお、後述するが、第２離間溝５９は、一つのＣＤ２を保持するホルダ１９の突起３０を案内溝６０の再生部６７に位置付ける際の溝長と、案内溝６０のローディング部６２に位置付ける際の溝長とが異なる。再生部６７に位置付ける際の溝長よりローディング部６２に位置付ける際の溝長が短い。
【０１００】
第１離間溝５８と第２離間溝５９は、案内溝６０に係合する一つのＣＤ２を保持するホルダ１９以外の他のホルダ１９の突起３０が侵入することを許容する（他のホルダ１９が係合する）。第１離間溝５８と第２離間溝５９は、一つのＣＤ２を保持するホルダ１９以外の他のホルダ１９が摺動可能に係合するとともに、カム部材４５と移動部材４４との相対的な移動により形成される。
【０１０１】
第１離間溝５８と第２離間溝５９は、カム部材４５と移動部材４４とが相対的に前述した矢印Ｋに沿って移動することで、互いに連動して前述した矢印Ｋに沿った溝幅が可変する（拡がったり狭くなる）。即ち、第１離間溝５８と第２離間溝５９は、カム部材４５と移動部材４４との相対的な移動により前述した矢印Ｋに沿った溝幅が相対的に可変する。
【０１０２】
また、カム部材４５が矢印Ｋに沿ってスライドした際に、第１離間溝５８の溝幅が拡がると第２離間溝５９の溝幅が狭くなり、第２離間溝５９の溝幅が拡がると第１離間溝５８の溝幅が狭くなる。さらに、第１離間溝５８の溝幅と第２離間溝５９の溝幅との和は、ホルダ１９の数から１を引いて得られる数と一つの突起３０の前述した矢印Ｋ方向の幅との積に等しい又は略等しい。
【０１０３】
前述した構成によれば、移動シャーシ１８と摺動部４９（第１及び第２摺動壁４９ａ，４９ｂ）との間に位置付けられたすべてのホルダ１９の突起３０は、モータ４０の駆動力が複数の歯車８４を介して伝達されて、回転部材４３と移動部材４４とカム部材４５とが一体に（連動して）回転（移動）することで、一つの突起３０が案内溝６０内に侵入する。
【０１０４】
そして、残りの突起３０のうち案内溝６０に侵入した突起３０より矢印Ｋ１（図１０などに示す）側に位置するホルダ１９の突起３０が第１離間溝５８内に侵入し、案内溝６０に侵入した突起３０より矢印Ｋ２（図１０などに示す）側に位置するホルダ１９の突起３０が第２離間溝５９内に侵入する。なお、矢印Ｋ１は、前述した矢印Ｋの一方側をなしているとともに、矢印Ｋ２は、前述した矢印Ｋの他方側をなしている。
【０１０５】
また、図１８に示すように、すべてのホルダ１９の突起３０が、案内溝６０に侵入することなく連結壁５６に近づいて移動シャーシ１８と摺動部４９（第１及び第２摺動壁４９ａ，４９ｂ）との間に位置する状態は、本明細書では、ホルダ１９が収容位置に位置するという。また、カム部材４５のくさび部５７が連結壁５６と間隔をあけているため、収容位置では、第１離間溝５８と第２離間溝５９とは、一体になっている。さらに、収容位置では、複数のホルダ１９が互いに近接する。
【０１０６】
そして、図２４乃至図２６に示すように、複数のホルダ１９の突起３０が、案内溝６０の再生部６７内と、第１及び第２離間溝５８，５９の奥とに侵入する状態は、本明細書では、ホルダ１９が再生位置に位置するという。再生位置では、カム部材４５のくさび部５７により、前記案内溝６０内に突起３０が侵入したホルダ１９は、収容位置より他のホルダ１９から離れる。また、再生位置では、情報を再生するＣＤ２を保持したホルダ１９が他のホルダ１９から離れるとともに、情報を再生するＣＤ２を保持したホルダ１９と他のホルダ１９との間にピックアップ部２７が侵入可能になる。
【０１０７】
さらに、図２１に示すように、複数のホルダ１９の突起３０が、移動部材４４の第２摺動壁４９ｂと移動シャーシ１８との間に位置するとともに、案内溝６０のローディング部６２内と、第１及び第２離間溝５８，５９とに侵入した状態は、本明細書では、ホルダ１９がローディング位置に位置するという。
【０１０８】
また、前述した再生位置では、第１離間溝５８内に、情報を再生するＣＤ２を保持したホルダ１９以外の矢印Ｋ１側のホルダ１９の突起３０が侵入する。第１離間溝５８は、前記矢印Ｋ１側のホルダ１９を、情報を再生するＣＤ２を保持したホルダ１９から離す。
【０１０９】
さらに、前述した再生位置とローディング位置では、第２離間溝５９内に、情報を再生するＣＤ２を保持したホルダ１９、又は、搬送されるＣＤ２を保持するホルダ１９以外の矢印Ｋ２側のホルダ１９の突起３０が侵入する。第２離間溝５９は、前記矢印Ｋ２側のホルダ１９を、情報を再生するＣＤ２を保持したホルダ１９から離す。
【０１１０】
連動移動部材４２は、図３３などに示すように、モータ７０（図２又は図３に示す）と、駆動シャーシ７１（図７及び図８に示す）と、第２駆動シャーシ７２（図７及び図８に示す）と、第１突起７３と、第１孔７４と、第２突起７５と、第２孔７６とを備えている。なお、図７には、駆動シャーシ７１と第２駆動シャーシ７２とを２つずつ示しているが、実際には、駆動シャーシ７１と第２駆動シャーシ７２は一つずつ設けられている。
【０１１１】
連動移動部材４２は、ディスク収容部６のホルダ１９を収容位置と再生位置とに亘って移動させる際には、移動部材４４を、回転部材４３に対し矢印Ｋに沿って移動して、回転部材４３の第１摺動壁４９ａから最も遠ざけておく。この際、第１及び第２摺動壁４９ａ，４９ｂの第１及び第２傾斜面５０ａ，５０ｂは同一面となる。そして、連動移動部材４２は、再生位置に位置付けるＣＤ２を保持したホルダ１９の突起３０が案内溝６０に侵入できる位置に、カム部材４５を位置付ける。
【０１１２】
連動移動部材４２は、ディスク収容部６のホルダ１９を再生位置とローディング位置とに亘って移動させる即ちＣＤ２を機器本体３内に出し入れする際には、カム部材４５を、移動部材４４に対し矢印Ｋに沿って移動して、回転部材４３の第１摺動壁４９ａに最も近づけておく。そして、連動移動部材４２は、ローディング位置に位置付けられた即ち出し入れされたＣＤ２を保持するホルダ１９の突起３０が案内溝６０に侵入できる位置に、移動部材４４を位置付ける。
【０１１３】
そして、連動移動部材４２は、モータ７０の駆動力により、前述したように、カム部材４５即ちディスク再生部５の移動シャーシ１６と、移動部材４４即ちディスク収容部６の移動シャーシ１８とを連動して、矢印Ｋに沿って移動する。
【０１１４】
モータ７０は、固定シャーシ９の底板１１などに取り付けられている。駆動シャーシ７１は、板金からなり、板状に形成されている。駆動シャーシ７１は、平面形状が矩形状に形成されている。駆動シャーシ７１は、機器本体３の固定シャーシ９の周板１２に、矢印Ｋに対し直交（交差）する方向に沿って移動自在に支持されている。
【０１１５】
第２駆動シャーシ７２は、板金からなり、板状に形成されている。第２駆動シャーシ７２の平面形状は、矩形状に形成されている。第２駆動シャーシ７２は、機器本体３の固定シャーシ９の周板１２に、矢印Ｋに対し直交（交差）する方向に沿って移動自在に支持されている。第２駆動シャーシ７２には、モータ７０の駆動力により回転される歯車７８と噛み合ったラック７７が形成されている。
【０１１６】
第１突起７３は、ディスク収容部６の移動シャーシ１８から駆動シャーシ７１と第２駆動シャーシ７２に向かって突出している。第１孔７４は、駆動シャーシ７１と第２駆動シャーシ７２に設けられている。勿論、第１孔７４は、駆動シャーシ７１と第２駆動シャーシ７２とを貫通している。第１孔７４には、図２又は図３に示すように、第１突起７３が侵入する。
【０１１７】
第１孔７４は、図３３乃至図４０に示すように、第１平行部７９と第１傾斜部８０とを備えている。第１平行部７９は、前述した矢印Ｋに対し直交する方向に沿って直線状に延びている。第１傾斜部８０は、第１平行部７９の端に連なり且つ前述した矢印Ｋと該矢印Ｋに対し直交する方向との双方に対し交差する方向に沿って直線状に延びている。第１傾斜部８０は、第１平行部７９から離れるにしたがって徐々に回転部材４３の第１摺動壁４９ａに近づく方向に傾斜している。
【０１１８】
第２突起７５は、ディスク再生部５の移動シャーシ１６から駆動シャーシ７１に向かって突出している。第２孔７６は、駆動シャーシ７１に設けられている。勿論、第２孔７６は、駆動シャーシ７１を貫通している。第２孔７６には、第２突起７５が侵入する。
【０１１９】
第２孔７６は、第２傾斜部８１と第２平行部８２とを備えている。第２傾斜部８１は、前述した矢印Ｋと該矢印Ｋに対し直交する方向との双方に対し交差する方向に沿って直線状に延びている。第２傾斜部８１は、第２平行部８２から離れるにしたがって、徐々に回転部材４３の第１摺動壁４９ａから離れる方向に傾斜している。第２傾斜部８１は、第１傾斜部８０と平行である。第２平行部８２は、第２傾斜部８１の端に連なり且つ前述した矢印Ｋに対し直交する方向に沿って直線状に延びている。
【０１２０】
第１突起７３が第１傾斜部８０内に位置付けられると、第２突起７５が第２平行部８１内に位置付けられる。第１突起７３が第１平行部７９内に位置付けられると、第２突起７５が第２傾斜部８１内に位置付けられる。
【０１２１】
前述した連動移動部材４２は、モータ７０の駆動力により、第２駆動シャーシ７２を矢印Ｋに対し直交する方向に沿って移動する。すると、第２駆動シャーシ７２の第１の孔７４内を第１突起７３が移動して、移動シャーシ１８が第２駆動シャーシ７２に対し矢印Ｋに沿って移動する。そして、駆動シャーシ７１の第１の孔７４内を第１突起７３が移動して、駆動シャーシ７１が矢印Ｋに対し直交する方向に沿って移動する。
【０１２２】
このように、駆動シャーシ７１は、モータ７０の駆動力により、第２駆動シャーシ７２が矢印Ｋに対し直交する方向に沿ってスライドすることで、矢印Ｋに対し直交する方向に沿ってスライドする。即ち、駆動シャーシ７１は、モータ７０の駆動力により、矢印Ｋに対し交差（直交）する方向に沿って固定シャーシ９の周板１２に対し移動される。このため、連動移動部材４２即ちディスク移動機構７は、カム部材４５と移動部材４４との各々を矢印Ｋに沿って駆動（移動）する単一のモータ７０を備えている。
【０１２３】
前述した連動移動部材４２は、モータ７０の駆動力により、ホルダ１９をローディング位置に位置付ける際即ちＣＤ２を機器本体３内に出し入れする際には、第２突起７５が第２平行部８２内を移動し、第１突起７３が第１傾斜部８０内を移動する位置に駆動シャーシ７１を位置付ける。
【０１２４】
また、前述した連動移動部材４２は、モータ７０の駆動力により、ホルダ１９を再生位置と収容位置とに亘って移動する際には、第２突起７５が第２傾斜部８１内を移動し、第１突起７３が第１平行部７９内を移動する位置に駆動シャーシ７１を位置付ける。
【０１２５】
なお、前述した連動移動部材４２により、第２突起７５が第２平行部８２内に位置付けられると、カム部材４５が最も回転部材４３の第１摺動壁４９ａに近づく。最も回転部材４３の第１摺動壁４９ａに近づいたカム部材４５の案内溝６０のローディング部６２内に突起３０が位置付けられたホルダ１９は、前述した挿入口１０を通して出し入れされるＣＤ２を保持できる位置に位置付けられる。
【０１２６】
前述した構成のＣＤチェンジャ１は、機器本体３内に収容した複数のＣＤ２のうち前述した操作部などにより任意に選択された一つのＣＤ２の情報を読み出す際には、図１８に示すように、モータ４０の駆動力によりすべてのホルダ１９の突起３０を連結壁５６に接触させておく。さらに、ディスク再生部５の揺動シャーシ１７の他端部即ちピックアップ再生部２５のクランプ部材２６とピックアップ部２７とを、複数のＣＤ２間から退避させておく。
【０１２７】
また、モータ７０の駆動力により、図３３に示すように、第１突起７３が第１孔７４の第１平行部７９内に位置する位置に駆動シャーシ７１を位置付ける。そして、図１８に示すように、移動部材４４に取り付けられた移動シャーシ１８を回転部材４３の第２摺動壁４９ａから最も遠ざけておく。
【０１２８】
さらに、各ホルダ１９の第１乃至第３の係止部材３１，３２，３３が、図５及び図６に示すように、ねじりコイルばね３６，３８の付勢力により前述した係止位置に保たれている。即ち、各ホルダ１９の第１乃至第３の係止部材３１，３２，３３は、ＣＤ２の外縁部に係止している。
【０１２９】
そして、モータ７０の駆動力により、図３４に示すように、第２突起７５が第２孔７６の第２傾斜部８１内を移動して、情報が読み出される任意に選択された一つのＣＤ２を保持したホルダ１９の突起３０が案内溝６０に矢印Ｋに対し直交する方向に沿って相対する位置に、駆動シャーシ７１を位置付ける。
【０１３０】
さらに、図１４及び図１９に示すように、カム部材４５の案内溝６０を、矢印Ｋに対し直交する方向に沿って、情報が読み出される任意に選択された一つのＣＤ２を保持したホルダ１９の突起３０と相対させる。なお、図１４及び図１９では、図中上から四つ目のホルダ１９の突起３０とカム部材４５に設けられた案内溝６０とを相対させている。
【０１３１】
そして、モータ４０の駆動力により、離間部材４１ａ，４１ｂ，４１ｃ各々の回転部材４３と移動部材４４及びカム部材４５を一体に回転させると、すべてのホルダ１９の突起３０が、連結壁５６から徐々に離れる。すると、図２０に示すように、情報が読み出される任意に選択された一つのＣＤ２を保持したホルダ１９の突起３０が、案内溝６０の開口部６１に侵入する。さらに、他のＣＤ２を保持したホルダ１９の突起３０が、カム部材４５のくさび部５７に接触するとともに、第１及び第２離間溝５８，５９に係合して溝内を移動する。なお、第２離間溝５９内では同一面（面一）となった第１及び第２傾斜面５０ａ，５０ｂに沿って摺動する。
【０１３２】
さらに、モータ４０の駆動力により、離間部材４１ａ，４１ｂ，４１ｃ各々の回転部材４３と移動部材４４及びカム部材４５を一体に回転させると、図２１に示すように、情報が読み出される任意に選択された一つのＣＤ２を保持したホルダ１９の突起３０がローディング部６２内に位置する。そして、他のＣＤ２を保持したホルダ１９の突起３０が、カム部材４５のくさび部５７により第１の離間溝５８及び第２の離間溝５９の奥即ち連結壁５６から離れた側に移動する。
【０１３３】
その後、図２２に示すように、前述した一つのＣＤ２を保持したホルダ１９の突起３０が案内溝６０のピックアップ侵入部６３内に位置する。すると、図４１に示すように、離間部材４１ａ，４１ｂ，４１ｃ各々のカム部材４５の突部６８がホルダ１９のトレイ２８の外縁に隣接する位置に位置付けられる。このとき、揺動シャーシ１７が、一端部１７ａを中心として回転して、他端部１７ｂ即ちピックアップ再生部２５のクランプ部材２６とピックアップ部２７とが前述した一つのＣＤ２と他のＣＤ２との間に侵入する。
【０１３４】
そして、前述した一つのＣＤ２を保持したホルダ１９の突起３０が、第１連結部６４内を通り、図２３に示すように、クランプ部６５内に位置する。すると、図４２に示すように、離間部材４１ａ，４１ｂ，４１ｃ各々のカム部材４５の突部６８がホルダ１９のトレイ２８のフランジ部２９ｂ上に位置付けられる。なお、図４２には、離間部材４１ｂを代表して示す。さらに、離間部材４１ａ，４１ｃ各々のカム部材４５の係止解除部６９が前述した一つのＣＤ２を保持したホルダ１９の第１及び第２の係止部材３１，３２の連動突起７１を押圧して、図７に示すように、第１乃至第３の係止部材３１，３２，３３を前述した非係止位置に位置付けて、前記一つのＣＤ２の外縁部への係止が解除される。このとき、ディスク再生部５のクランプ部材２６が前述した一つのＣＤ２をクランプする。
【０１３５】
また、前述した一つのＣＤ２を保持したホルダ１９の突起３０がクランプ部６５内に位置した際、即ちクランプ部材２６が前記一つのＣＤ２をクランプする際に、前記一つのＣＤ２がホルダ１９の第１乃至第３係止部材３１，３２，３３に乗り上げている場合、離間部材４１ａ，４１ｂ，４１ｃ各々のカム部材４５の突部６８は、前記一つのＣＤ２の外縁をホルダ１９のトレイ２８の中央に向かって押圧して、該一つのＣＤ２をホルダ１９のトレイ２８のトレイ本体２９ａ上即ちトレイ２８上の所定位置に位置付ける。
【０１３６】
そして、前述した一つのＣＤ２を保持したホルダ１９の突起３０が、第２連結部６６内を通り、図１５及び図２４に示すように、再生部６７内に位置する。このとき、前述した一つのＣＤ２が、該ＣＤ２を保持していたホルダ１９から離される。
【０１３７】
さらに、前述した一つのＣＤ２の矢印Ｋ１側に位置するＣＤ２を保持したホルダ１９の突起３０が、カム部材４５のくさび部５７により第１離間溝５８の奥即ち連結壁５６から離れた側に移動する。さらに、前述した一つのＣＤ２の矢印Ｋ２側に位置するＣＤ２を保持したホルダ１９の突起３０が、同一面（面一）になった第１及び第２傾斜面５０ａ，５０ｂに沿って摺動することにより第２離間溝５９の奥即ち連結壁５６から離れた側に移動する。
【０１３８】
そして、図１５及び図２４に示すように、カム部材４５のくさび部５７に設けられた案内溝６０により、前述した一つのＣＤ２を保持したホルダ１９が位置決めされる。さらに、カム部材４５のくさび部５７と、移動シャーシ１８及び摺動部４９（第１及び第２摺動壁４９ａ，４９ｂ）とにより即ち第１及び第２離間溝５８，５９により、前述した一つのＣＤ２を保持したホルダ１９を他のホルダ１９から離す。さらに、他のホルダ１９を、第１及び第２離間溝５８，５９により、位置決めする。
【０１３９】
さらに、前述した一つのＣＤ２を保持したホルダ１９の突起３０が再生部６７内に位置すると、該ホルダ１９が、ディスク再生部５のクランプ部材２６によりクランプされたＣＤ２から遠ざけられる。そして、ホルダ１９にＣＤ２の回転が妨げられることが防止される。クランプ部材２６がクランプしたＣＤ２を回転するとともに、ピックアップ部２７の光ピックアップがＣＤ２の所望の位置から情報を読み出す。前述した一つのＣＤ２からの情報の読み出しを停止する際には、モータ４０の駆動力により、回転部材４３と移動部材４４及びカム部材４５を先ほどと逆向きに回転する。
【０１４０】
前述したように、ディスク移動機構７は、カム部材４５を矢印Ｋに沿って移動して、第１離間溝５８の溝幅と第２離間溝５９の溝幅とを連動して拡縮することで、所望のＣＤ２を保持したホルダ１９を位置決めするとともに他のホルダ１９から離す。このように、ディスク移動機構７は、一つのＣＤ２を保持したホルダ１９と他のホルダ１９とを、矢印Ｋに沿って、離間する。
【０１４１】
例えば、図２５に示すように、図中下から二番目のＣＤ２を保持したホルダ１９を再生位置に位置付ける際や、図２６に示すように、図中上から二番目のＣＤ２を保持したホルダ１９を再生位置に位置付ける際も同様である。なお、図２５及び図２６に示す状態では、図３５及び図３６に示すように、第１突起７３が第１平行部７９内に位置するとともに、第２突起７５が第２傾斜部８１内に位置する。
【０１４２】
また、前述したように、ディスク移動機構７は、複数のホルダ１９を互いに近接する収容位置と、複数のホルダ１９のうち一つのホルダ１９を他のホルダ１９から離して該一つのホルダ１９に保持されたＣＤ２の情報を読み出す再生位置とに亘って、複数のホルダ１９を移動する。また、ディスク移動機構７は、一つのホルダ１９に保持されたＣＤ２の情報を読み出す際に、この一つのホルダ１９の第１乃至第３の係止部材３１，３２，３３を、非係止位置即ち係止爪３４，３５，３７のホルダ１９上のＣＤ２の外縁部への係止を解除する方向に回転させる。
【０１４３】
また、前述した構成のＣＤチェンジャ１は、操作部などの命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図１３、図１６及び図２７に示すように、モータ４０の駆動力によりすべてのホルダ１９の突起３０を連結壁５６に接触させておく。さらに、ディスク再生部５の揺動シャーシ１７の他端部即ちピックアップ再生部２５のクランプ部材２６及びピックアップ部２７を、複数のＣＤ２間から退避させておく。
【０１４４】
また、図３７に示すように、モータ７０の駆動力により第２突起７５が第２孔７６の第２平行部８２内に位置する位置に駆動シャーシ７１を位置付ける。そして、図１３、図１６及び図２７に示すように、カム部材４５を回転部材４３の第１摺動壁４９ａに最も近づけておく。さらに、各ホルダ１９の第１乃至第３の係止部材３１，３２，３３が、図５及び図６に示すように、ねじりコイルばね３６，３８の付勢力により前述した係止位置に保たれている。
【０１４５】
そして、モータ７０の駆動力により、図３８に示すように、第１突起７３が第１孔７４の第１傾斜部８０内を移動して、機器本体３内に挿入されたＣＤ２を保持する又は保持したＣＤ２を機器本体３外に排出する一つのホルダ１９の突起３０が案内溝６０に矢印Ｋに対し直交する方向に沿って相対する位置に、駆動シャーシ７１を位置付ける。この際、第１摺動壁４９ａの第１傾斜面５０ａと同一面（面一）の状態にある第２摺動壁４９ｂの第２傾斜面５０ｂは移動部材４４の下方への移動に伴い移動される。そして、傾斜面５０ａ，５０ｂの一部が分割される。
【０１４６】
そして、図１３、図１６及び図２８に示すように、カム部材４５の案内溝６０を、矢印Ｋに対し直交する方向に沿って、前述した一つのホルダ１９の突起３０と相対させる。なお、図１３、図１６及び図２８では、図中上から四つ目のホルダ１９の突起３０とカム部材４５に設けられた案内溝６０とを相対させている。
【０１４７】
そして、モータ４０の駆動力により、回転部材４３と移動部材４４及びカム部材４５を一体に回転させる。そして、すべてのホルダ１９の突起３０が、連結壁５６から徐々に離れる。すると、図２９に示すように、前述した一つのホルダ１９の突起３０が、案内溝６０の開口部６１に侵入する。さらに、前述した他のホルダ１９の突起３０が、カム部材４５のくさび部５７に接触するとともに、第１及び第２離間溝５８，５９に係合して溝内を移動する。
【０１４８】
なお、第２離間溝５９の溝長は上述した一のホルダ１９の突起３０を案内溝６０の再生部６７に位置付ける際の溝長より短くなっている。この溝長は、第２摺動壁４９ｂの第２傾斜面５０ｂの長さのみとなるため、不要な第２離間溝５９の溝長を削除することができる。つまり、他のホルダ１９を摺動させるために必要な第２傾斜面５０ｂをもつ第２摺動壁４９ｂのみを下方に移動させて傾斜面５０ａ，５０ｂを分割させているため、記録媒体（ＣＤ２）を搬送する際に不要となる第１傾斜面５０ａを下方に移動させず、装置１自体の高さ方向Ｚの厚みを大きくさせない。
【０１４９】
さらに、モータ４０の駆動力により、回転部材４３と移動部材４４及びカム部材４５を一体に回転させると、図１７及び図３０に示すように、前述した一つのホルダ１９の突起３０が、案内溝６０のローディング部６２内に位置する。さらに、前述した他のホルダ１９の突起３０が、カム部材４５のくさび部５７により第１離間溝５８及び第２離間溝５９に係合して移動し、第２離間溝５９においては第２摺動壁４９ｂの第２傾斜面５０ｂに沿って摺動する。
【０１５０】
そして、図１７及び図３０に示すように、カム部材４５のくさび部５７に設けられた案内溝６０により、前述した一つのホルダ１９がローディング位置に位置決めされる。さらに、カム部材４５のくさび部５７と移動シャーシ１８及び摺動部４９（第１及び第２摺動壁４９ａ，４９ｂ）とにより即ち第１及び第２離間溝５８，５９により、前述した一つのホルダ１９を他のホルダ１９から離す。さらに、第１及び第２離間溝５８，５９により、他のホルダ１９を位置決めする。
【０１５１】
そして、モータ７０の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、モータ４０の駆動力により、回転部材４３と移動部材４４及びカム部材４５を先ほどと逆向きに回転する。
【０１５２】
前述したように、カム部材４５を矢印Ｋに沿って移動することで、第１離間溝５８の溝幅と第２離間溝５９の溝幅とを連動して拡縮して、所望のホルダ１９をローディング位置に位置決めするとともに他のホルダ１９から離す。例えば、図３１に示すように、図中上から二番目のホルダ１９をローディング位置に位置付ける際や、図３２に示すように、図中下から二番目のホルダ１９をローディング位置に位置付ける際も同様である。
【０１５３】
なお、図３１及び図３２に示す状態では、図３９及び図４０に示すように、第２突起７５が第２平行部８２内に位置するとともに、第１突起７３が、第１傾斜部８０内に位置する。
【０１５４】
本実施例によれば、離間部材４１が、クランプ部材２６が一つのＣＤ２をクランプする際に、該一つのＣＤ２を保持するホルダ１９のトレイ２８に当接する外周面から該トレイ２８に向かって突出するとともに、トレイ２８の表面側に位置付けられて前記一つのＣＤ２の外縁を押圧可能な突部６８を備えているので、自動車の走行中の過度な振動や衝撃により、ホルダ１９の第１乃至第３の係止部材３１，３２，３３に乗り上げてしまった一つのＣＤ２を、前記ホルダ１９のトレイ２８上の所定位置に位置付けることができる。
【０１５５】
こうすることで、クランプ部材２６によって一つのＣＤ２を確実にクランプさせることができ、光ピックアップが一つのＣＤ２の情報を確実に再生することができるとともに、複数のホルダ１９を所定の間隔で積層配列することができ、一つのＣＤ２を機器本体３外へスムーズに排出することができる。
【０１５６】
また、本実施例によれば、離間部材４１は、突部６８がトレイ２８の表面側に位置付けられる動作に連動して、第１乃至第３の係止部材３１，３２，３３の係止を解除する係止解除部６９が設けられていている。このため、離間部材４１の突部６８が、自動車の走行中の過度な振動や衝撃により、ホルダ１９の第１乃至第３の係止部材３１，３２，３３に乗り上げてしまった一つのＣＤ２を、前記ホルダ１９のトレイ２８上の所定位置にスムーズに位置付けることができる。
【０１５７】
さらに、本実施例によれば、離間部材４１が、トレイ２８の外縁に沿って互いに間隔をあけて複数設けられていている。このため、複数の離間部材４１各々の突部６８によって、クランプ部材２６が一つのＣＤ２をクランプする際に、該一つのＣＤ２をホルダ１９のトレイ２８の中央に向かって押圧することができる。よって、自動車の走行中の過度な振動や衝撃により、ホルダ１９の第１乃至第３の係止部材３１，３２，３３に乗り上げてしまった一つのＣＤ２を、前記ホルダ１９のトレイ２８上の所定位置に確実に位置付けることができる。
【０１５８】
また、本実施例によれば、トレイ２８が、表面上にＣＤ２が載置されるトレイ本体２９ａと該トレイ本体２９ａの外周にＣＤ２の外縁を取り囲むように設けられたフランジ部２９ｂとを有しているとともに、突部６８の外周面から離れた側の端部６８ａが、当該突部６８がトレイ２８の表面側に位置付けられた際に、フランジ部２９ｂの内周縁と配列方向に沿って並ぶ位置に配置されている。
【０１５９】
このため、突部６８が一つのＣＤ２をホルダ１９のトレイ２８の中央に向かって押圧した際に、ホルダ１９のトレイ２８のトレイ本体２９ａに確実に載置することができるため、自動車の走行中の過度な振動や衝撃により、ホルダ１９の第１乃至第３の係止部材３１，３２，３３に乗り上げてしまった一つのＣＤ２を、前記ホルダ１９のトレイ２８上の所定位置に確実に位置付けることができる。
【０１６０】
前述した実施例では、記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。
【０１６１】
前述した実施例によれば、以下のＣＤチェンジャ１が得られる。
【０１６２】
（付記）ＣＤ２を保持するとともに積層配列された複数のホルダ１９と、回転することで一つのＣＤ２を保持するホルダ１９と他のＣＤ２を保持するホルダ１９とを前記ＣＤ２の配列方向に沿って離間させる円柱状の離間部材４１と、前記一つのＣＤ２をクランプして該一つのＣＤ２を回転させるクランプ部材２６と、を備えたＣＤチェンジャ１であって、
前記複数のホルダ１９は、それぞれ、平板状に形成され且つ表面にＣＤ２が位置付けられるトレイ２８と、前記トレイ２８に設けられ且つ前記トレイ２８上に位置付けられた前記ＣＤ２の外縁部に係止する複数の係止部材３１，３２，３３と、を有しており、
前記離間部材４１は、前記クランプ部材２６が前記一つのＣＤ２をクランプする際に、前記一つのＣＤ２を保持する前記ホルダ１９の前記トレイ２８に当接する外周面から該トレイ２８に向かって突出するとともに、前記トレイ２８の前記表面側に位置付けられて前記一つのＣＤ２の外縁を押圧可能な突部６８を備えたことを特徴とするＣＤチェンジャ１。
【０１６３】
付記によれば、自動車の走行中の過度な振動や衝撃により、ホルダ１９の複数の係止部材３１，３２，３３に乗り上げてしまった一つのＣＤ２を、前記ホルダ１９のトレイ２８上の所定位置に位置付けることができる。
【０１６４】
こうすることで、クランプ部材２６によって一つのＣＤ２を確実にクランプさせることができ、光ピックアップが一つのＣＤ２の情報を確実に再生することができるとともに、複数のホルダ１９を所定の間隔で積層配列することができ、一つのＣＤ２を機器本体３外へスムーズに排出することができる。
【０１６５】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１６６】
【図１】本発明の一実施例にかかる記録媒体再生装置としてのＣＤチェンジャの外観を示す斜視図である。
【図２】図１に示されたＣＤチェンジャの互いに組み付けられた固定シャーシとディスク搬送部とディスク再生部とディスク収容部とディスク移動機構を示す斜視図である。
【図３】図２に示された固定シャーシとディスク再生部とディスク収容部との一部を分解して示す斜視図である。
【図４】図２に示されたディスク収容部のホルダと離間部材とを示す斜視図である。
【図５】図４に示されたＣＤチェンジャのホルダを示す斜視図である。
【図６】図４に示されたＣＤチェンジャのディスク収容部のホルダとディスク移動機構などを示す平面図である。
【図７】図６に示されたホルダの第１乃至第３の係止部材が非係止位置に位置付けられた状態を示す平面図である。
【図８】図４に示された離間部材を分解して示す斜視図である。
【図９】図８に示された離間部材を背面側から見た分解斜視図である。
【図１０】図４に示された離間溝拡縮機構を拡大して示す斜視図である。
【図１１】図１０に示された離間部材のカム部材と移動部材が最も上方に位置した状態を示す斜視図である。
【図１２】図１１に示された離間部材の移動部材が最も上方に位置しカム部材が中央部に位置した状態を示す斜視図である。
【図１３】図４に示された離間部材を分解して示す斜視図である。
【図１４】図１３に示された離間部材のカム部材が回転部材の第２壁から離れて一つのホルダの突起と案内溝とが相対した状態を示す斜視図である。
【図１５】図１４に示された状態の離間部材の移動部材を回転して突起を案内溝の再生部に位置付けた状態を示す斜視図である。
【図１６】図１３に示された離間部材のカム部材が回転部材の第２壁に最も近づいて一つのホルダの突起と案内溝とが相対した状態を示す斜視図である。
【図１７】図１６に示された状態の離間部材の移動部材を回転して突起を案内溝のローディング部に位置付けた状態を示す斜視図である。
【図１８】図１３に示された離間部材の移動部材とカム部材をこれらの周方向に展開して示す展開図である。
【図１９】図１８に示されたカム部材の案内溝を一つのホルダの突起と相対させた状態を模式的に示す展開図である。
【図２０】図１９に示された状態から移動部材を回転して、案内溝内に突起を挿入し始めた状態を模式的に示す展開図である。
【図２１】図２０に示された状態から移動部材を更に回転して、案内溝のローディング部内に突起が位置した状態を模式的に示す展開図である。
【図２２】図２１に示された状態から移動部材を更に回転して、案内溝のピックアップ侵入部内に突起が位置した状態を模式的に示す展開図である。
【図２３】図２２に示された状態から移動部材を更に回転して、案内溝のクランプ部内に突起を位置付けた状態を模式的に示す展開図である。
【図２４】図２３に示された状態から移動部材を更に回転して、案内溝の再生部内に突起を位置付けた状態を模式的に示す展開図である。
【図２５】図２４に示された下から２つ目のホルダの突起を案内溝の再生部内に位置付けた状態を模式的に示す展開図である。
【図２６】図２４に示された上から２つ目のホルダの突起を案内溝の再生部内に位置付けた状態を模式的に示す展開図である。
【図２７】図１８に示されたカム部材を回転部材の第２壁に最も近づけた状態を模式的に示す展開図である。
【図２８】図２７に示されたカム部材の案内溝に一つのホルダの突起を相対させた状態を模式的に示す展開図である。
【図２９】図２８に示された状態から移動部材を回転して、案内溝内に突起を挿入し始めた状態を模式的に示す展開図である。
【図３０】図２９に示された状態から移動部材を更に回転して、案内溝のローディング部内に突起を位置付けた状態を模式的に示す展開図である。
【図３１】図３０に示された上から２つ目の保持部材の突起を案内溝のローディング部内に位置付けた状態を模式的に示す展開図である。
【図３２】図３０に示された下から２つ目の保持部材の突起を案内溝のローディング部内に位置付けた状態を模式的に示す展開図である。
【図３３】図１８に示された状態の連動移動部材を示す平面図である。
【図３４】図１９に示された状態の連動移動部材を示す平面図である。
【図３５】図２５に示された状態の連動移動部材を示す平面図である。
【図３６】図２６に示された状態の連動移動部材を示す平面図である。
【図３７】図２７に示された状態の連動移動部材を示す平面図である。
【図３８】図２８に示された状態の連動移動部材を示す平面図である。
【図３９】図３１に示された状態の連動移動部材を示す平面図である。
【図４０】図３２に示された状態の連動移動部材を示す平面図である。
【図４１】図６に示されたディスク収容部のホルダの第３の係止部材と離間部材などの要部を拡大して示す平面図である。
【図４２】図７に示されたディスク収容部のホルダの第３の係止部材と離間部材などの要部を拡大して示す平面図である。
【符号の説明】
【０１６７】
１  ＣＤチェンジャ（記録媒体再生装置）
２  ＣＤ（記録媒体）
３  機器本体
１９  ホルダ（保持部材）
２６  クランプ部材
２８  トレイ
２９ａ  トレイ本体
２９ｂ  フランジ部
３１  第１の係止部材（係止部材）
３２  第２の係止部材（係止部材）
３３  第３の係止部材（係止部材）
４１  離間部材（４１ａ，４１ｂ，４１ｃ）
６８  突部
６８ａ  端部
６９  係止解除部
【図１】
2010118107.tif 000003
【図２】
2010118107.tif 000004
【図３】
2010118107.tif 000005
【図４】
2010118107.tif 000006
【図５】
2010118107.tif 000007
【図６】
2010118107.tif 000008
【図７】
2010118107.tif 000009
【図８】
2010118107.tif 000010
【図９】
2010118107.tif 000011
【図１０】
2010118107.tif 000012
【図１１】
2010118107.tif 000013
【図１２】
2010118107.tif 000014
【図１３】
2010118107.tif 000015
【図１４】
2010118107.tif 000016
【図１５】
2010118107.tif 000017
【図１６】
2010118107.tif 000018
【図１７】
2010118107.tif 000019
【図１８】
2010118107.tif 000020
【図１９】
2010118107.tif 000021
【図２０】
2010118107.tif 000022
【図２１】
2010118107.tif 000023
【図２２】
2010118107.tif 000024
【図２３】
2010118107.tif 000025
【図２４】
2010118107.tif 000026
【図２５】
2010118107.tif 000027
【図２６】
2010118107.tif 000028
【図２７】
2010118107.tif 000029
【図２８】
2010118107.tif 000030
【図２９】
2010118107.tif 000031
【図３０】
2010118107.tif 000032
【図３１】
2010118107.tif 000033
【図３２】
2010118107.tif 000034
【図３３】
2010118107.tif 000035
【図３４】
2010118107.tif 000036
【図３５】
2010118107.tif 000037
【図３６】
2010118107.tif 000038
【図３７】
2010118107.tif 000039
【図３８】
2010118107.tif 000040
【図３９】
2010118107.tif 000041
【図４０】
2010118107.tif 000042
【図４１】
2010118107.tif 000043
【図４２】
2010118107.tif 000044